(57)【要約】      （修正有）【課題】ポケットの使用を快適にする車椅子用身体障害者ズボンを提供する。【解決手段】ズボンのポケットを、太腿部上面の膝頭から股間の間と、膝頭より下前面の位置につけかえる。【選択図】図１
0003155141.tif 000002
【実用新案登録請求の範囲】
【請求項１】
従来のズボンのポケットを、大腿部上面の膝頭から股間の間と、膝頭より下前面の位置につけかえ、物の出し入れを快適にし、使用不可能なポケットの欠点を解消することを特徴とする、車椅子用身体障害者ズボン。
【考案の詳細な説明】
【技術分野】
【０００１】本考案は車椅子に乗用する、身体障害者が着用する、ズボンのポケット位置を改良した、ズボンに関するものである。
【背景技術】
【０００２】
0003155141.tif 000003
にあり、車椅子の手すり部分と同位置にある。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】従来のズボンは、ポケットが車椅子の手すり部分と同じ位置にあるため、車椅子の手すりが邪魔になり、ポケットは使用不可能である。従って、ポケットの位置を大腿部上面の膝頭から股間の間と、膝頭より下前面の２ヶ所につけかえ、物の出し入れを快適にし前述の欠点を解消するものである。
【課題を解決するための手段】
【０００６】本考案はズボンのポケットを、大腿部上面の、両膝頭から股間の間と、膝頭より下の前面に作り、密着用マジックテープのポケットの蓋をつけ開閉自由にし、スムースにポケットを使用して、問題を解決する。
【考案の効果】
【０００７】前述のようにポケットが、大腿部上面と膝頭下前面にあるため、快適に使用することが出来て、目の前にあるため使用管理も完壁である。収納力も大である。
【図面の簡単な説明】
【０００８】
【図１】本考案の車椅子用身体障害者用ズボンの、ポケットの位置を示す、正面図である。
【図２】仝右側面図である
【考案を実施するための最良の形態】
【０００９】ポケットを開閉するための、ポケット出し入れ口に着用する蓋は、密着用マジックテープが使用便利である。而しチャックの細、中、大等、色々使用も可である。
【実施例】
【０００１０】以下添付図面に従いポケットの実施例を説明する。１．及び４のポケット本体は、８のズボン本体に、外部から縫着して作製し、ポケットには１ａ及５、５ａのようにヒダを施し、収納量を大きくするようにする。２及６のポケットの蓋はマジックテープを使用し、開閉を簡便にする。以上の作製方法により、物品の出し入れが便利で収納量が大きく、有効である。
【産業上の利用可能性】
【・・・・】
【符号の説明】
【０００１１】      １  膝頭下前面のポケット本体  左右
１ａ  ポケットに付するヒダ    左右
２  膝頭下  前面のポケットの蓋左右
３  膝頭の部位                左右
４  大腿部上面の膝頭から股間の間のポケット本体  左右
５、及５ａ  ４のポケットのヒダ                        左右
６  ４のポケット本体の蓋                        左右
７  従来のポケット                              左右
８  ズボン本体
９  ズボン本体の前ひらき部分
１０  ズボンの腰部分
１１  ズンの足首部分
【図１】
0003155141.tif 000004
【図２】
0003155141.tif 000005
【手続補正書】
【提出日】平成21年8月10日(2009.8.10)
【手続補正１】
【補正対象書類名】実用新案登録請求の範囲
【補正対象項目名】全文
【補正方法】変更
【補正の内容】
【実用新案登録請求の範囲】
【請求項１】
ズボンのポケットを、大腿部上面の膝頭から股間の間と、膝頭より下前面の位置につけかえ、物の出し入れを快適にし、使用不可能なポケットの欠点を解消することを特徴とする、車椅子用身体障害者ズボン。
【手続補正２】
【補正対象書類名】明細書
【補正対象項目名】全文
【補正方法】変更
【補正の内容】
【考案の詳細な説明】
【技術分野】
【０００１】  本考案は車椅子に乗用する、身体障害者が着用する、ズボンのポケット位置を改良した、ズボンに関するものである。
【背景技術】
【０００２】  身体障害者が車椅子に搭乗する時、従来のズボンは両脚大腿部の左右外側にあり、車椅子の手すり部分と同位置にある。
【考案の概要】
【考案が解決しようとする課題】
【０００３】  ズポンは、ポケットが車椅子の手すり部分と同じ位置にあるため、車椅子の手すりが邪魔になり、ポケットは使用不可能である。  従って、ポケットの位置を大腿部上面の膝頭から股間の間と、膝頭より下前面の４ケ所につけかえ、物の出し入れを快適にし前述の欠点を解消するものである。
【課題を解決するための手段】
【０００４】  ズボンのポケットを、大腿部上面の膝頭から股間の間と、膝頭より下前面の位置につけかえ、物の出し入れを快適にし、使用不可能なポケットの欠点を解消することを特徴とする、車椅子用身体障害者ズボン。
【考案の効果】
【０００５】  前述のようにポケットが大腿部上面と膝頭下前面にあるため快適に使用することが出来て、目の前にあるため使用管理も完璧である。  収容力も大である。
【図面の簡単な説明】
【０００６】
【図１】本考案の正面図である。
【図２】本考案の側面図である。
【考案を実施するための形態】
【０００７】  ズボンのポケットを、大腿部上面の膝頭から股間の間と、膝頭より下前面の位置につけかえ、物の出し入れを快適にし、使用不可能なポケットの欠点を解消することを特徴とする、車椅子用身体障害者ズボンである。  ポケットを開閉するための、ポケット出し入れ口に着用する蓋は、密着用マジックテープ（登録商標）が使用便利である。  而し、チャックの細、中、大等、色々使用も可である。  本考案は、ズボンのポケットを大腿部上面の、両膝頭から股間の間と、膝頭より下の前面に作り、密着用マジックテープ（登録商標）の蓋をつけ開閉自由にし、スムーズにポケットを使用して、問題を解決する。
【実施例】
【０００８】  以下添付図面に従いポケットの実施例を説明する。  １及び４のポケット本体は８のズボン本体に、外部から縫着して作製し、ポケットには、１ａ及び５、５ａのようにヒダを施し、収納量を大きくするようにする。  ２及び６のポケットの蓋はマジックテープ（登録商標）を使用し、開閉を簡便にする。  以上の作製方法により、物品の出し入れが便利で収納量が大きく、有効である。
【符号の説明】
【０００９】  １  膝頭下前面のポケット本体  左右  １ａ  ポケットに付するヒダ  左右  ２  膝頭下前面のポケットの蓋  左右  ３  膝頭の部位  左右  ４  大腿部上面の膝頭から股間の間のポケット本体  左右  ５  ４のポケットのヒダ  左右  ５ａ  ４のポケットのヒダ  左右  ６  ４  のポケット本体の蓋  左右  ７  従来のポケット  左右  ８  ズボン本体  ９  ズボン本体の前のひらき部分  １０  ズボンの腰部分  １１  ズボンの足首部分
【手続補正４】
【補正対象書類名】図面
【補正対象項目名】全図
【補正方法】変更
【補正の内容】
【図１】
0003155141.tif 000006
【図２】
0003155141.tif 000007